(57)【要約】  【課題】自動製氷装置を備えた冷蔵庫に関して、安価で信頼性、安全性を確保できる冷蔵庫を提供する。  【解決手段】仕切り壁１０４により区画され、冷蔵室１０２を上部に、冷凍室１０３を下部へ配設した自動製氷装置の給水パイプ２０６は給水タンク２０１の下部へ配設され、給水パイプ２０６を着脱可能にするため仕切り壁１０４の給水パイプ上部分は、発泡材にて構成された断熱部材２０７で構成されるものであり、給水パイプ２０６の材料は安価な樹脂を使用し、なお樹脂材は電気的に絶縁性があるため直接給水パイプへ貼り付けても凍結防止ヒーターと絶縁を確保し、安全性を確保することが出来る。【選択図】図２
2008039240.tif 000002
【特許請求の範囲】
【請求項１】
仕切り壁により区画され、冷蔵室を上部に、冷凍室を下部へ配設し、前記冷蔵室内下面に載置される給水タンクと、前記冷凍室に配置された製氷皿と、前記給水タンクの水を製氷皿へ導く給水ポンプと給水パイプとを備え、前記給水パイプは樹脂材により構成され、表面には凍結防止のための凍結防止ヒーターが仕切り壁内部へ構成されるように配設され、前記給水パイプは前記給水タンクの下部へ配設され、前記給水パイプを着脱可能にするため前記仕切り壁の給水パイプ上部分は、発泡材にて構成された断熱部材で構成されることを特徴とする冷蔵庫。
【請求項２】
前記仕切り壁の前記冷凍室側の前記給水パイプ先端位置近傍へリブを構成することを特徴とする請求項１に記載の冷蔵庫。
【請求項３】
前記冷凍室の庫内循環用風路において吐出冷気が直接前記給水パイプの先端へあたらないように前記仕切り壁にリブを構成することを特徴とする請求項１に記載の冷蔵庫。
【請求項４】
前記給水パイプと前記凍結防止ヒーターの構成に、前記給水パイプ先端部の前記凍結防止ヒーターの終端部へ絶縁材を貼り付け、前記絶縁材の表面へ金属を前記給水パイプ先端位置まで金属材を貼り付けることを特徴とする請求項１に記載の冷蔵庫。
【請求項５】
前記絶縁材を熱収縮チューブとすることを特徴とする請求項４に記載の冷蔵庫。
【請求項６】
前記仕切り壁の前記冷凍室側の前記給水パイプ先端位置近傍へリブを構成し、前記冷凍室の庫内循環用風路において吐出冷気が直接前記給水パイプの先端へあたらないように前記仕切り壁にリブを構成することを特徴とする請求項５に記載の冷蔵庫。
【発明の詳細な説明】
【技術分野】
【０００１】
本発明は、自動製氷装置を備えた冷蔵庫に関するものである。
【背景技術】
【０００２】
従来、この種の冷蔵庫は、冷蔵室と冷凍室の仕切り壁に載置される給水タンクと給水タンク内水の凍結防止用として給水タンクの下部へヒーターが配設されている（例えば、特許文献１、特許文献２参照）。
【０００３】
図７は、特許文献１に記載された従来の自動製氷装置部の断面図、図８は、特許文献２に記載された給水パイプと凍結防止用ヒーターの構成断面図である。
【０００４】
図７において、冷蔵室７０１と、冷蔵室７０１の下部には冷凍室７０２が設けられており、冷蔵室７０１と冷凍室７０２との間には、組み立て性及びウレタンの流動性から断熱材として発泡材が内蔵された仕切り壁７０３が設けられている。仕切り壁７０３上部には水を貯蔵するための給水タンク７０４とその水を冷凍室７０２側へ供給する部材が設けられている。給水タンク７０４は水を替えるタンクであり、冷蔵室７０１内に抜き差し自在の構造となっており、給水タンク７０４内の水を供給するための吸出し管部７０５がある。水を冷凍室７０２側へ供給する部材は、給水タンク７０４内から水を吸い上げるための給水ポンプ７０６と給水タンク７０４の吸出し管部７０５を接続する管継ぎ手部材７０７によって構成され、給水ポンプ７０６のａ側に給水ポンプ７０６と製氷皿７０８へ導く給水パイプ７０９が、給水ポンプ７０６の奥側から仕切り壁７０３を経て配設され、給水パイプ７０９の上部には給水パイプ７０９を断熱する発泡材によるカバーの断熱部材７１０が被さる構成となっている。一方、冷凍室７０２側には、氷を作るための製氷皿７０８と製氷皿７０８内の温度を検知する温度検知手段７１１が構成される。製氷皿７０８を回転させるための離氷モーター７１２が配設され、製氷皿７０８の下部へは出来た氷を受ける氷受け皿７１３が配設されている。以上のような構成において、給水タンク７０４に貯蔵された水が給水ポンプ７０６により吸い上げられ、吸出し管部７０５、管継ぎ手部材７０６を通り、給水ポンプ７０６を経て給水パイプ７０９を通り製氷皿７０８へ一定量給水される。製氷皿７０８は、製氷皿７０８内の温度を検知する温度検知手段７１１により一定温度以下になると氷が精製されたことを検知し、離氷モーター７１２により製氷皿７１１が回転し離氷して、氷受け皿７１３へ氷を落とす機構となっている。
【０００５】
次に従来の給水パイプと凍結防止用ヒーターの構成断面図について、図８において説明する。
【０００６】
給水パイプ７０９は金属製の材料８０１で構成され、表面には絶縁材８０２で覆われ、外周に凍結防止ヒーター８０３が貼り付けられ、給水パイプ７０９と凍結防止ヒーター８０３は電気的に絶縁された構成となっている。凍結防止ヒーター８０３には、自動製氷を使用するモードの時は適宜給水パイプ７０９内で水等が凍結しないように通電されている。
【特許文献１】特開平１１−８３２７１号公報
【特許文献２】特開平６−２６７４５号公報
【発明の開示】
【発明が解決しようとする課題】
【０００７】
しかしながら、上記従来の構成では、給水パイプ７０９の材料は高価な金属製の材料８０１で構成され、なお凍結防止ヒーター８０３と給水パイプ７０９の間には絶縁材８０２が必要となり、非常に高価な仕様となる。つまり、利用者へは、コスト負担の増大という課題を有していた。
【０００８】
本発明は、上記従来の課題を解決するもので、給水パイプの材料は成形性が良く、安価な樹脂を使用し、なお樹脂材は電気的に絶縁性があるため直接給水パイプへ貼り付けても凍結防止ヒーターと絶縁を確保し、安全性を確保するとともに、給水パイプ先端の温度を凍結防止温度まで確保した自動製氷装置を備えた冷蔵庫を提供することを目的とする。
【課題を解決するための手段】
【０００９】
上記従来の課題を解決するために、本発明の冷蔵庫は、仕切り壁により区画され、冷蔵室を上部に、冷凍室を下部へ配設し、前記冷蔵室内下面に載置される給水タンクと、前記冷凍室に配置された製氷皿と、前記給水タンクの水を製氷皿へ導く給水ポンプと給水パイプとを備え、前記給水パイプは樹脂材により構成され、表面には凍結防止のための凍結防止ヒーターが仕切り壁内部へ構成されるように配設され、前記給水パイプは前記給水タンクの下部へ配設され、前記給水パイプを着脱可能にするため前記仕切り壁の給水パイプ上部分は、発泡材にて構成された断熱部材で構成されるものである。
【００１０】
これによって、給水パイプの材料は安価な樹脂を使用し、なお樹脂材は電気的に絶縁性があるため直接給水パイプへ貼り付けても凍結防止ヒーターと絶縁を確保し、安全性を確保することが出来る。
【発明の効果】
【００１１】
本発明の冷蔵庫は、給水パイプの材料は成形性が良く、安価な樹脂を使用し、なお樹脂材は電気的に絶縁性があるため直接給水パイプへ貼り付けても凍結防止ヒーターと絶縁を確保し、安全性を確保するとともに、給水パイプ先端の温度を凍結防止温度まで確保することが出来る。
【発明を実施するための最良の形態】
【００１２】
請求項１に記載の発明は、仕切り壁により区画され、冷蔵室を上部に、冷凍室を下部へ配設し、前記冷蔵室内下面に載置される給水タンクと、前記冷凍室に配置された製氷皿と、前記給水タンクの水を製氷皿へ導く給水ポンプと給水パイプとを備え、前記給水パイプは樹脂材により構成され、表面には凍結防止のための凍結防止ヒーターが仕切り壁内部へ構成されるように配設され、前記給水パイプは前記給水タンクの下部へ配設され、前記給水パイプを着脱可能にするため前記仕切り壁の給水パイプ上部分は、発泡材にて構成された断熱部材で構成されるものであり、給水パイプの材料は安価な樹脂を使用し、なお樹脂材は電気的に絶縁性があるため直接給水パイプへ貼り付けても凍結防止ヒーターと絶縁を確保し、安全性を確保することが出来る。
【００１３】
請求項２に記載の発明は、請求項１に記載の発明において、前記仕切り壁の前記冷凍室側の前記給水パイプ先端位置近傍へリブを構成するものであり、給水パイプ先端限界まで凍結防止ヒーターを延長することが出来るため、給水パイプ先端温度を上昇させることが出来るため、さらに凍結防止の信頼性を向上させることが出来る。
【００１４】
請求項３に記載の発明は、請求項１に記載の発明において、前記冷凍室の庫内循環用風路において吐出冷気が直接前記給水パイプの先端へあたらないように前記仕切り壁にリブを構成するものであり、これによって、給水パイプ先端温度をさらに上昇させることが出来るため、凍結防止の信頼性をさらに向上させることが出来る。
【００１５】
請求項４に記載の発明は、請求項１に記載の発明において、前記給水パイプと前記凍結防止ヒーターの構成に、前記給水パイプ先端部の前記凍結防止ヒーターの終端部へ絶縁材を貼り付け、前記絶縁材の表面へ金属を前記給水パイプ先端位置まで金属材を貼り付けることにより、給水パイプ先端温度をさらに上昇させることが出来るため、凍結防止の信頼性をさらに向上させることが出来る。
【００１６】
請求項５に記載の発明は、請求項４に記載の発明において、前記絶縁材を熱収縮チューブとすることで、凍結防止ヒーターとの絶縁を確保し、凍結防止の信頼性を確保し、かつ、作業性を向上させることが出来る。
【００１７】
請求項６に記載の発明は、請求項５に記載の発明において、前記仕切り壁の前記冷凍室側の前記給水パイプ先端位置近傍へリブを構成し、前記冷凍室の庫内循環用風路において吐出冷気が直接前記給水パイプの先端へあたらないように前記仕切り壁にリブを構成することで、凍結防止ヒーターとの絶縁を確保し、凍結防止の信頼性をさらに確保し、かつ、作業性を向上させることが出来る。
【００１８】
以下、本発明の実施の形態について、図面を参照しながら説明する。なお、この実施の形態によって、この発明が限定されるものではない。
【００１９】
（実施の形態１）
図１は、本発明の実施の形態１における冷蔵庫の断面図である。
【００２０】
図１において、冷蔵庫本体１０１は、上部に配置された冷蔵室１０２と下部に配置された冷凍室１０３とに仕切り壁１０４により仕切られ、冷蔵室１０２は、冷気の自然対流による直接冷却方式にて冷却される部屋であり、内箱１０５の奥面へ蒸発器１０６が配設されている。冷凍室１０３は送風機１０７による間接冷却方式であり、蒸発器１０８は風路構成用のダクト１０９の奥面へ配設されている。また、１１０は自動製氷装置部である。
【００２１】
図２（ａ）は、本発明の実施の形態１における自動製氷装置部の断面図であり、図２（ｂ）は、図２（ａ）のＡ−Ｂ線断面図である。
【００２２】
図２において、仕切り壁１０４上部には水を貯蔵するための給水タンク２０１とその水を冷凍室１０３側へ供給する部材が設けられている。給水タンク２０１は水を替えるタンクであり、冷蔵室１０２内に抜き差し自在の構造となっており、給水タンク２０１内の水を供給するための吸出し管部２０２がある。水を冷凍室１０３側へ供給する部材は、給水タンク２０１内から水を吸い上げるための給水ポンプ２０３と給水タンク２０１の吸出し管部２０２を接続する管継ぎ手部材２０４によって構成され、給水ポンプ２０３のａ側に給水ポンプ２０３と製氷皿２０５へ導く給水パイプ２０６が、給水ポンプ２０３の奥側から仕切り壁１０４を経て配設され、給水パイプ２０６の上部には給水パイプ２０６を断熱する断熱部材２０７が被さる構成となっている。
【００２３】
また、給水パイプ２０６の材料は樹脂材で構成され、表面には直接凍結防止ヒーター２１１が構成され、凍結防止ヒーター２１１へは、冷蔵室１０２側または冷凍室１０３側からも人の手に触れられることが出来ない位置へ配設されている。さらに、この凍結防止ヒーター２１１により、冷凍室１０３から給水パイプ２０６の表面及び気中から伝熱する冷気をカットすることが出来、冷蔵室１０２側の給水パイプ２０６の表面結露及び霜付き防止も行なっている。一方、冷凍室１０３側には、氷を作るための製氷皿２０５と製氷皿２０５内の温度を検知する温度検知手段２０８が構成される。製氷皿２０５を回転させるための離氷モーター２０９が配設され、製氷皿２０５の下部へは出来た氷を受ける氷受け皿２１０が配設されている。以上のような構成において、以下にその動作・作用を説明する。
【００２４】
給水タンク２０１に貯蔵された水が給水ポンプ２０３により吸い上げられ、吸出し管部２０２、管継ぎ手部材２０４を通り、給水ポンプ２０３を経て給水パイプ２０６を通り製氷皿２０５へ一定量給水される。製氷皿２０５は、製氷皿２０５内の温度を検知する温度検知手段２０８により一定温度以下になると氷が精製されたことを検知し、離氷モーター２０９により製氷皿２０５が回転し離氷して、氷受け皿２１０へ氷を落とす機構となっている。
【００２５】
以上のように、本実施の形態においては、冷蔵室と冷凍室または製氷室を有し、冷蔵室が上部、冷凍室または製氷室が下部へ配設される構成において、冷蔵室と冷凍室の仕切り壁により区分けされ、仕切り壁に載置される給水タンクと、冷凍室に配置された製氷皿と、給水タンクの水を製氷皿へ導く給水ポンプと給水パイプが配設されている。また、冷凍室庫内を冷却する蒸発器、循環用送風機、風路ダクトが構成され、風路ダクトは、製氷皿の冷却を促進される風路が構成されている。給水パイプは樹脂材により構成され、表面には凍結防止のための凍結防止ヒーターが仕切り壁内部へ構成されるように配設されており、外部からは凍結防止ヒーターへは接触不可能な構成となっている。給水パイプは給水タンクの下部へ配設され、給水パイプを着脱可能にするため仕切り壁の給水パイプ上部分は、発泡材にて構成された断熱部材で構成され、給水パイプの材料は安価な樹脂を使用し、なお樹脂材は電気的に絶縁性があるため直接給水パイプへ貼り付けても凍結防止ヒーターと絶縁を確保し、安全性を確保することが出来る。
【００２６】
（実施の形態２）
図３（ａ）は、本発明の実施の形態２における自動製氷装置部の断面図であり、図３（ｂ）は、図３（ａ）のＡ−Ｂ線断面図である。
【００２７】
実施の形態１と異なる点は、仕切り壁３０３の冷凍室側の給水パイプ３０２先端位置近傍へリブ３０１を構成し、給水パイプ先端限界まで凍結防止ヒーター３０４を延長することが出来る。
【００２８】
以上のように本実施の形態においては、仕切り壁３０３の冷凍室側の給水パイプ３０２先端位置近傍へリブ３０１を構成し、給水パイプ先端限界まで凍結防止ヒーター３０４を延長することにより、給水パイプ先端温度を上昇させることが出来るため、さらに凍結防止の信頼性を向上させることが出来る。
【００２９】
（実施の形態３）
図４（ａ）は、本発明の実施の形態３における自動製氷装置部の断面図であり、図４（ｂ）は、図４（ａ）のＡ−Ｂ線断面図である。
【００３０】
実施の形態１と異なる点は、冷凍室の庫内循環用風路４０４において吐出冷気が直接給水パイプ４０２の先端へあたらないように仕切り壁４０３にリブ４０１を構成している。
【００３１】
以上のように本実施の形態においては、冷凍室の庫内循環用風路４０４において吐出冷気が直接給水パイプ４０２の先端へあたらないように仕切り壁４０３にリブ４０１を構成していることにより、給水パイプ先端温度をさらに上昇させることが出来るため、凍結防止の信頼性をさらに向上させることが出来る。
【００３２】
（実施の形態４）
図５（ａ）は、本発明の実施の形態４における自動製氷装置部の断面図であり、図５（ｂ）は、図５（ａ）のＡ−Ｂ線断面図である。
【００３３】
実施の形態１と異なる点は、給水パイプ５０３と凍結防止ヒーター５０４の構成に、給水パイプ先端部の凍結防止ヒーター５０４の終端部へ絶縁材５０１を貼り付け、絶縁材５０１の表面へ金属５０２を給水パイプ５０３先端位置まで金属材５０２を貼り付けている。
【００３４】
以上のように本実施の形態においては、給水パイプ５０３と凍結防止ヒーター５０４の構成に、給水パイプ先端部の凍結防止ヒーター５０４の終端部へ絶縁材５０１を貼り付け、絶縁材５０１の表面へ金属５０２を給水パイプ５０３先端位置まで金属材５０２を貼り付けていることにより、給水パイプ先端温度をさらに上昇させることが出来るため、凍結防止の信頼性をさらに向上させることが出来る。
【００３５】
（実施の形態５）
実施の形態４と異なる点は、絶縁材５０１を熱収縮チューブとしている。
【００３６】
以上のように本実施の形態においては、絶縁材５０１を熱収縮チューブとしていることにより、凍結防止ヒーター５０４との絶縁を確保し、凍結防止の信頼性を確保し、かつ、作業性を向上させることが出来る。
【００３７】
（実施の形態６）
図６（ａ）は、本発明の実施の形態６における自動製氷装置部の断面図であり、図６（ｂ）は、図６（ａ）のＡ−Ｂ線断面図である。
【００３８】
実施の形態５と異なる点は、仕切り壁６０１の冷凍室側の給水パイプ６０２先端位置近傍へリブ６０３を構成し、冷凍室の庫内循環用風路において吐出冷気が直接給水パイプ６０２の先端へあたらないように仕切り壁６０１にリブ６０４を構成している。
【００３９】
以上のように本実施の形態においては、仕切り壁６０１の冷凍室側の給水パイプ６０２先端位置近傍へリブ６０３を構成し、冷凍室の庫内循環用風路において吐出冷気が直接給水パイプ６０２の先端へあたらないように仕切り壁６０１にリブ６０４を構成していることにより、凍結防止ヒーターとの絶縁を確保し、凍結防止の信頼性をさらに確保し、かつ、作業性を向上させることが出来る。
【産業上の利用可能性】
【００４０】
以上のように、本発明にかかる自動製氷装置付き冷蔵庫は、凍結防止及びヒーターの絶縁性を解決する手段として安価な材料にて可能であるため、家庭用冷蔵庫だけではなく多種に渡る冷凍装置への適用もできる。
【図面の簡単な説明】
【００４１】
【図１】本発明の実施の形態１における冷蔵庫の断面図
【図２】（ａ）本発明の実施の形態１における自動製氷装置部の断面図（ｂ）図２の（ａ）のＡ−Ｂ線断面図
【図３】（ａ）本発明の実施の形態２における自動製氷装置部の断面図（ｂ）図３の（ａ）のＡ−Ｂ線断面図
【図４】（ａ）本発明の実施の形態３における自動製氷装置部の断面図（ｂ）図４の（ａ）のＡ−Ｂ線断面図
【図５】（ａ）本発明の実施の形態４における自動製氷装置部の断面図（ｂ）図５の（ａ）のＡ−Ｂ線断面図
【図６】（ａ）本発明の実施の形態６における自動製氷装置部の断面図（ｂ）図６の（ａ）のＡ−Ｂ線断面図
【図７】従来の自動製氷装置部の断面図
【図８】従来の給水パイプと凍結防止用ヒーターの構成断面図
【符号の説明】
【００４２】
１０２  冷蔵室
１０３  冷凍室
１０４，３０３，４０３，６０１  仕切り壁
２０１  給水タンク
２０５  製氷皿
２０６，３０２，４０２，５０３，６０２  給水パイプ
２０７  断熱部材
２１１，３０４，５０４  凍結防止ヒーター
３０１  リブ
４０１  リブ
４０４  庫内循環用風路
５０１  絶縁材
５０２  金属材
６０３  リブ
６０４  リブ
【図１】
2008039240.tif 000003
【図２】
2008039240.tif 000004
【図３】
2008039240.tif 000005
【図４】
2008039240.tif 000006
【図５】
2008039240.tif 000007
【図６】
2008039240.tif 000008
【図７】
2008039240.tif 000009
【図８】
2008039240.tif 000010